【事件の表示】
　特願２００３−３１８２６３号「コンセント用シャッターブロック」拒絶査定不服審判事件〔平成１６年７月２日出願公開、特開２００４−１８６１３６号〕について、次のとおり審決する。
【結　論】
　本件審判の請求は、成り立たない。
【理　由】
１．手続の経緯 
　本件に係る出願（以下「本件出願」という。）は、平成１５年９月１０日の特許出願（優先権主張平成１４年１１月１９日）であって、平成１９年９月１１日付けで拒絶査定がなされ（発送日：同年９月１８日）、これに対し、同年１０月１８日に拒絶査定不服審判の請求がなされた。そして、平成２１年２月１２日付けで当審にて拒絶理由が通知され、同年４月２０日付けで意見書及び手続補正書が提出されたものである。 
　
２．本願発明について 
(1)本願発明　 
　本願の請求項１に係る発明は、平成２１年４月２０日付け手続補正書により補正された明細書及び図面の記載からみて、その特許請求の範囲の請求項１に記載された事項により特定される次のとおりのものである（以下「本願発明」という。）。 
「プラグとの間の信号接続に用いられるコンセントブロックに対してプラグ挿入方向の前方に配置され、プラグを挿入するプラグ挿入口が前面に開口したカバーと、カバーの後面側にプラグ挿入口に沿ってスライド自在にそれぞれ配置された上扉および下扉を有し下扉は上扉に対して後側に配置され上扉および下扉が連動してスライド移動することによってプラグ挿入口を開閉する扉と、一端が下扉に当接してプラグ挿入口を閉じる向きに扉を付勢する付勢ばねと、カバーとは別体であってカバーの後面側に取り付けられてカバーとの間で付勢ばねを保持するとともに下扉の左右両側部を保持する押さえ板とを備え、上扉に後側に突出して押さえ板に対向する突起を設け、カバーに扉および付勢ばねを組み込んだ状態で押さえ板をカバーに固定して構成されるコンセント用シャッターブロック。」
　
(2)刊行物 
(2-1)当審が通知した拒絶の理由に引用され、本願出願の優先権主張日前に頒布された特開平７−１４６３４号公報（以下、「刊行物１」という。）には、次の事項が記載されている。 
ア．「【請求項１】
モジュラプラグを挿入するプラグ挿入口が開口したケースと、ケース内に固定され
モジュラプラグ
と電気的に接続されている端子を有したジャックブロックと、ケースとジャックブロックとの間でプラグ挿入口に沿ってスライド自在にプラグ挿入口を開閉する扉と、扉を挿入口を閉じる向きに付勢するバネとを備え
【請求項２】ケースは、前面にプラグ挿入口が開口し後方に組立爪が突設されたカバーと、前面にプラグ挿入口が開口し後方に組立爪に係合してカバーを結合する組立孔が形成されたボディとから成ることを特徴とする請求項１記載のモジュラジャック。」（【請求項1】、【請求項２】、下線は当審にて付与。以下同様。） 
イ．「本発明は上記問題点に鑑みて発明したものであり、取り付け位置や取り付け方向を選ばずに設置でき
埃等の異物がジャック接続部の内部に侵入しないモジュラジャックを提供する
ウ．「
カバー２には、前面側の中央部に突台２３が形成されている。この突台２３の底面の中央部にはモジュラプラグを挿入するプラグ挿入口２１が開口する。このプラグ挿入口２１の周囲の突台２３の内面側には、図３（ｂ）に示すような上扉ガイド２５が形成されている。
　上記
プラグ挿入口２１には、カバー１（「２」の誤記と認める。）の内側面に沿って扉６が配設されている。扉６は、それぞれ板状に形成された上扉６１と下扉７１とからなる。上扉６１の裏面側の上部両端には一対の上扉突起６２が突設されている。
下扉本体７２の両側にはバネ受け７３が下扉本体７２の両側面に沿う向きに突設されている。さらに、バネ受け７３の後面には下扉突起７４が一体に設けられている。
上扉６１は上記上扉ガイド２５に沿ってスライドする。下扉７２のバネ受け７３の両端面が突台２３の内側面に当接し、下扉７２はプラグ挿入口２１に沿ってスライドする
　
このバネ受け７３にはコイルバネよりなるバネ８の一端部に差し込まれる。
このバネ８を図１の上部から係止する押さえ板９を備えている。
押さえ板９とカバー２とを固着する
バネ８は、押さえ板９に押さえられているので、図１における上下方向の移動が禁止される。このとき、同時に上記バネ受け７３も押さえ板９に係止されているので、上下方向の移動は禁止される。
　プラグ挿入口２１を通して挿入されるモジュラプラグは、ジャックブロック３に結合される。」（段落【0011】〜【0014】）
エ．「このモジュラジャックは以下のように組み立てられる。まず、カバー２をプラグ挿入口２１が下になるようにして扉６をカバー２に収納する。下扉７１にはバネ８が装着され、押さえ板９によりバネ８がカバー２に固定される。次に、ジャックブロック３をカバー２に収納し、最後にボディ１をカバー２に結合すれば組立が完了する。ここで、カバー２のブロック受け２７に中枠突起４１が載置され、かつジャックブロック３の後端面がボディ１の後壁に当接するから、ジャックブロック３はカバー２とボディ１とによって挟持されることになる。また、ジャックブロック３のブロック止め３５には押さえ突起１６ａが係合するから、ジャックブロック３のボディ１に対する固定強度が高くなる。さらに、ジャックブロック３がブロック受け２７に載置されていることによって、ジャックブロック３とプラグ挿入口２１との間に扉６を収納する空間を確保することができる。このように、
カバー２に対して扉６、バネ８、押さえ板９、ジャックブロック３、ボディ１を同じ方向から順に組み付けていくことによって、モジュラージャックの組立作業が容易になるのである。
　モジュラプラグをプラグ挿入口２１から挿入する際には、下扉７１に設けられた操作片７５をモジュラプラグによって上扉６１側に移動させることによってプラグ挿入口２１を開放する。このとき、
上扉６１の上扉突起６２が下扉７１に押されることにより、上扉６１が下扉７１と共に移動し、プラグ挿入口２１が開放される。また、モジュラプラグをプラグ挿入口２１から引き抜くと、バネ８のバネ力によって下扉７１がプラグ挿入口２１を閉じる向きに押されて下扉６２はプラグ挿入口２１の半分を閉じる。
上扉６１は下扉６２に連動してプラグ挿入口２１を閉じる。
オ．上記摘記事項ウ、エ及び【図1】の記載によれば、
カバー２は、ジャックブロック３に対して、プラグ挿入方向の前方に配置される
カバー２の前面にプラグ挿入口２１が開口されている
　
　上記記載事項及び図面の記載内容からみて、刊行物１には、次の発明が記載されている。  
「塵等の異物が侵入しないという課題を解決するために、
モジュラプラグと電気的に接続されるジャックブロックに対してプラグ挿入方向の前方に配置され、
モジュラプラグを挿入するプラグ挿入口２１が、前面に開口したカバー２と、
　カバー２とジャックブロックとの間でプラグ挿入口２１に沿ってスライド自在にそれぞれ配設された上扉６１と下扉７１とを有し、下扉７１は上扉６１に対して後側に配置され、上扉６１と下扉７１が連動して、スライドし、プラグ挿入口２１を開閉する扉６と、
　一端部が下扉７１の両側に突設されたバネ受け７３に差し込まれてプラグ挿入口２１を閉じる向きに下扉７１を押すバネ８と、
カバー２とは別部材であって、カバー２の後側に組み付けられて、
カバー２に固着されバネ８を後側から係止するとともに前記下扉７１の両側に突設されたバネ受け７３を係止する押さえ板９を備え、
　上扉６１の裏面側の上部両端に一対の上扉突起６２を突設し、
カバー２に扉６、バネ８、押さえ板９を組み付けて構成されるカバー組立体。」
　
(2-2)同じく当審が通知した拒絶の理由に引用され、本願出願の優先権主張日前に頒布された実願昭４８−０８５８６１号（実開昭５０−３３２９２号）のマイクロフィルム（以下「刊行物２」という。）には、次の事項が記載されている。 
ア．「
受口４ａ、４ｂ、４ｃを有するプレート外郭４の凹部内に、孔部５ａ、５ｂを有し下位には実子５ｃを形成した可動板５をスプリング７の支圧をもつて嵌入するとともに、後方より孔部６ａ、６ｂおよび長孔６ｃを有する可動板押え板６を被着して一括体に組成したプレート外郭４を充電部１前面に取付けることにより、不使用時には可動板５がスプリング支圧で各受口を閉鎖し、使用時には一部の長身プラグピンをもつて該可動板５を押上げることで各受口を自動的に開口できるようにして成る配線器具
イ．「本考案はこれらの欠点を改善するため、コンセントの受口部分に同配置の孔部を有する可動板を、スプリングの支圧をもつて閉鎖的に内装することにより、使用時にはプラグの差込圧をもつて該板を上昇動して、充電部への直通孔部を自動的に合致開口させるとともに、
プラグを除外したときは受口部分が自動的に閉鎖される
ウ．「また可動板５を嵌入した上位凹部空間には、スプリング７を弾撥的に係嵌して該可動板５を降下状に支圧した後、可動板５およびスプリング７を装嵌した凹部内後方位置には、面板の中間両側に前記各受口４ａ、４ｂと一致する同配置の孔部６ａ、６ｂを通貫穿設し、両面板中央下位には受口４ｃと一致する同配置の孔部下方を所定巾に連通削穿して、鍵穴状に形成した長孔６ｃを通貫穿設した
可動板押え板６を、
一括体に組成したプレート外郭４を、各刃受バネ２、２ａ、３と受口４ａ、４ｂ、４ｃおよび可動板押え板６の各孔部６ａ、６ｂ、長孔６ｃとがそれぞれ当該位置毎に同一線上に一致する配線態様をもつて固定止着し
エ．「このように本考案
器具は、
不使用時は完全に閉鎖されている
塵埃等の侵入を未然に防止できる
オ．上記摘記事項ア、ウ及び第２図の記載によれば、
プレート外郭４に、可動板５の裏側全面を保持し、可動板５の後方向への回転を防止する可動板押え板６を被着したこと
　
　上記記載事項及び図面の記載内容からみて、刊行物２には、次の発明が記載されている。  
「塵埃等の侵入を防止するために、可動板と可動板の裏面全体を保持し、可動板５の後方向への回転を防止する可動板押え板６とを一括体に組成したプレート外郭４。」
　
(3)対比
　本願発明と刊行物１に記載された発明とを対比する。 
　刊行物１に記載された発明の「モジュラプラグ」は、その構成及び機能からみて本願発明の「プラグ」に相当し、以下同様に、
　「電気的に接続されるジャックブロック」は「信号接続に用いられるコンセントブロック」に、
　「プラグ挿入口２１が、前面に開口したカバー２」は「プラグ挿入口が前面に開口したカバー」に、
　「カバー２とジャックブロックとの間でプラグ挿入口２１に沿ってスライド自在にそれぞれ配置された上扉６１と下扉７１」は「カバーの後面側にプラグ挿入口に沿ってスライド自在にそれぞれ配置された上扉および下扉」に、
　「上扉６１と下扉７１が連動して、スライドし、プラグ挿入口２１を開閉する扉６」は「上扉および下扉が連動してスライド移動することによってプラグ挿入口を開閉する扉」に、
　「一端部が下扉７１のバネ受け７３に差し込まれ」は「一端が下扉に当接して」に、
　「プラグ挿入口２１を閉じる向きに下扉７１を押すバネ８」は、バネ８により扉の一部である下扉を押すものであるから「プラグ挿入口を閉じる向きに扉を付勢する付勢ばね」に、
　「カバー２とは別部材」は「カバーとは別体」に、
　「カバー２の後側に組み付けられ」は「カバーの後面側に取り付けられ」に、
　「カバー２に固着されバネ８を後側から係止する」は「カバーとの間で付勢ばねを保持する」に、
　「カバー２に扉６、バネ８、押さえ板９を組み付けて構成されるカバー組立体」は「カバーに扉および付勢ばねを組み込んだ状態で押さえ板をカバーに固定して構成されるコンセント用シャッターブロック」に、
それぞれ相当する。
　そして、刊行物１に記載された発明の「上扉６１の裏面側の上部両端に一対の上扉突起６２を突設し」と、本願発明の「上扉に後側に突出して」「突起を設け」とは同義である。
　また、刊行物１に記載された発明の「下扉７１の両側に突設されたバネ受け７３を係止する押さえ板９」と、本願発明の「下扉の左右両側部を保持する押さえ板」とは、「下扉を左右両側において保持する押さえ板」である点で共通するものである。
　
　したがって、本願発明と刊行物１に記載された発明との一致点及び相違点は、次のとおりである。　　　　　　　　　　　　　　　　　　  
［一致点］ 
　「プラグとの間の信号接続に用いられるコンセントブロックに対してプラグ挿入方向の前方に配置され、プラグを挿入するプラグ挿入口が前面に開口したカバーと、カバーの後面側にプラグ挿入口に沿ってスライド自在にそれぞれ配置された上扉および下扉を有し下扉は上扉に対して後側に配置され上扉および下扉が連動してスライド移動することによってプラグ挿入口を開閉する扉と、一端が下扉に当接してプラグ挿入口を閉じる向きに扉を付勢する付勢ばねと、カバーとは別体であってカバーの後面側に取り付けられてカバーとの間で付勢ばねを保持するとともに下扉を左右両側において保持する押さえ板とを備え、上扉に後側に突出する突起を設け、カバーに扉および付勢ばねを組み込んだ状態で押さえ板をカバーに固定して構成されるコンセント用シャッターブロック。」
　
［相違点１］
　下扉を左右両側において保持する押さえ板の、保持する部位が、
　本願発明では、「下扉の左右両側部」であるのに対して、
　刊行物１に記載された発明では、「下扉の両側に突設されたバネ受け７３」である点。
　
［相違点２］
　上扉に設けた後側に突出する突起が、
　本願発明では、押さえ板に対向するものであるのに対して、
　刊行物１に記載された発明では、押さえ板に対向するか否か不明である点。
　
(4)当審の判断 
(4-1)上記相違点１について検討する。
　本願発明と刊行物２に記載された発明とを対比する。 
　刊行物２に記載された発明の「可動板」は、その構成及び機能からみて本願発明の「扉」に相当し、以下同様に、
　「可動板押え板６」は「押さえ板」に、
　「（可動板と・・・可動板押え板６とを一括体に組成した）プレート外郭４」は「カバー組立体」に、
それぞれ相当する。
　したがって、刊行物２に記載された発明は、
「塵埃等の侵入を防止するために、扉と扉の裏面全体を保持し、扉の後方向への回転を防止する押さえ板とを一括体に組成したカバー組立体。」
と言い換えることができる。
　そして、刊行物１及び２に記載された発明の「カバー組立体」は、器具内に塵埃等の異物の侵入を防止するという同一の課題を解決するものである。
　ゆえに、刊行物１に記載された発明の下扉の両側に突設されたバネ受け７３を押さえ板により保持する構成を、器具内に塵埃等の異物の侵入を防止するという同一の課題を解決するために、刊行物２に記載された発明に倣って、下扉の左右両側部を押さえ板により保持し、下扉の後方向への回転を防止する構成とすることは、当業者が容易になし得たものである。
　
(4-2)上記相違点２について検討する。
　上記相違点１について検討したことと同様に、刊行物１に記載された発明の上扉に設けた後側に突出する突起を、刊行物２に記載された発明に倣って、押さえ板に対向させて保持し、上扉の後方向への回転を防止する構成とすることは、当業者が容易になし得たものである。
　
(4-3)まとめ
　また、本願発明の奏する効果についてみても、刊行物１及び２に記載された発明により奏される効果から当業者が予測できる範囲内のものである。 
　よって、本願発明は、刊行物１及び２に記載された発明に基いて当業者が容易に発明をすることができたものである。
　
(5)むすび 
　以上のとおりであるから、本願の請求項１に係る発明は、刊行物１及び２に記載された発明に基いて当業者が容易に発明をすることができたものであるから、特許法第２９条第２項の規定により特許を受けることができない。 
　したがって、本願のその他の請求項に係る発明について検討するまでもなく、本願は拒絶すべきものである。
　よって、結論のとおり審決する。